(57)【特許請求の範囲】
【請求項１】
上方に開口した本体と、下方に開口した蓋体と、少なくとも１つのスライドレール部材と、少なくとも１つのスライダー部材と、少なくとも１つの被着対応部材と、を備えたマスクケースであって、 
前記蓋体の第１の側部と前記本体の第１の側部とが枢着され、蓋が閉じられると、マスクを収容する保管空間が形成され、
前記スライドレール部材は、前記本体の第１の側部の反対面となる第２の側部に配設され、前記スライドレール部材は、窪み部及びスロット部を有し、前記第２の側部に沿ってロック方向が形成され、前記窪み部は、前記ロック方向に沿って前記スロット部に突設され、前記窪み部の高さが前記スロット部より低く、前記スロット部は、スロットを有し、
前記スライダー部材は、前記スライドレール部材に摺動可能に設けられるとともに、ロック部及び弾性アームを有し、前記弾性アームは、前記ロック部から前記ロック方向と反対方向に延び、前記弾性アームは、前記スロットに挿設され、前記ロック部は、前記スロット部と同じ高さを有する係合溝を有し、前記係合溝の開口位置の上方には、傾斜案内面が設けられ、
前記被着対応部材は、前記蓋体の第２の側部に設置されるとともに、前記窪み部に位置が対応し、
前記蓋体により前記本体を開いた状態から閉じた状態にすると、前記被着対応部材が前記傾斜案内面に沿って前記スライダー部材に押し当てられ、前記スライダー部材が自由位置から押圧位置に押し入れられて前記弾性アームが圧縮され、前記被着対応部材が前記傾斜案内面を介して前記係合溝の開口に進入し、前記弾性アームが弾性エネルギーを放出すると、前記スライダー部材が弾性回復力により自由位置に復位し、
前記蓋体により前記本体が閉じられ、前記スライダー部材が外力により前記ロック方向で自由位置からロック位置まで移動されると、前記ロック位置において前記窪み部及び前記被着対応部材が前記係合溝中に位置することを特徴とする、マスクケース。
【請求項２】
前記被着対応部材が前記傾斜案内面を介して前記係合溝の開口に進入すると、前記被着対応部材の第１の端部の端部が前記ロック部と干渉することを特徴とする請求項１に記載のマスクケース。
【請求項３】
前記被着対応部材の第２の端部には、ストッパ部が設けられ、
前記第２の端部の反対側には、第１の端部が設けられていることを特徴とする請求項２に記載のマスクケース。
【請求項４】
弾性部材をさらに備え、
前記弾性部材は、前記本体と前記蓋体との間に位置し、
前記スライダー部材は、前記ロック位置から前記押圧位置まで移動し、
前記弾性部材に蓄積された弾性エネルギーにより前記蓋体が開いた状態となることを特徴とする請求項２に記載のマスクケース。
【請求項５】
前記スロットは、上方に開口することを特徴とする請求項１に記載のマスクケース。
【請求項６】
前記弾性アームは、挿入端及び弾性部を有し、
前記弾性部は、前記挿入端及び前記ロック部に接続され、
前記挿入端は、前記スロットに挿入されることを特徴とする請求項１に記載のマスクケース。
【請求項７】
前記スライダー部材は、前記スライドレール部材の前記スロット部の上下両端から前記スロットにそれぞれ挿入される互いに対称な２つの弾性アームを有することを特徴とする請求項１に記載のマスクケース。
【請求項８】
前記スライダー部材は、前記ロック方向に対して平行な鏡映対称軸を有することを特徴とする請求項１又は７に記載のマスクケース。
【請求項９】
前記ロック部の外表面は、凸面に成形されることを特徴とする請求項１に記載のマスクケース。
【請求項１０】
軸スリーブ部材及び回転軸をさらに備え、
前記軸スリーブ部材は、前記本体の前記第１の側部に配設され、
前記回転軸は、前記蓋体の前記第１の側部に配設され、
前記回転軸は、旋回首部及び頭部を有し、
前記頭部は、前記旋回首部に偏心して接続され、
前記軸スリーブ部材は、形状が前記頭部に対応し、前記回転軸を前記軸スリーブ部材に挿通させ得る穿孔を有することを特徴とする請求項１に記載のマスクケース。
【発明の詳細な説明】
【技術分野】
【０００１】
本発明は、マスクケースに関し、特に、係止可能なマスクケースに関する。
【背景技術】
【０００２】
高度リソグラフィ工程、特にＥＵＶ（深紫外線）リソグラフィ工程では、プロセス環境のクリーン度に対する要求が高く、もしパーティクル（ｐａｒｔｉｃｌｅ）によりフォトマスクが汚染されると、リソグラフィ工程に欠陥が生じることがあった。そのため、外部からパーティクルが侵入することを防ぐマスクケースを用いてクリーン度及びフォトマスク保護の要求を達成することが一般的であった。マスクケースの上下蓋が不用意に開いてしまうことを防ぐために、マスクケースを開く箇所にはロックが設けられ、マスクケースの上下蓋を係止していた。しかし、これらのロックは操作して係止しなければならなかったため、マスクケースを閉めたときに係止し忘れると、マスクケースが容易に開いてしまい、パーティクルがマスクケース中に浸入してフォトマスクが汚染されてしまうことがあった。
【０００３】
そのため、上述したような様々な問題を解決することができる係止可能なマスクケースが求められていた。
【発明の概要】
【発明が解決しようとする課題】
【０００４】
そこで、本発明者は、上記課題を解決するための鋭意検討を重ねた結果、かかる知見に基づいて、本発明に想到するに至った。本発明の課題は、係止可能なマスクケースを提供することにある。
【課題を解決するための手段】
【０００５】
上記課題を解決するために、本発明の第１の態様によれば、上方に開口した本体と、下方に開口した蓋体と、少なくとも１つのスライドレール部材と、少なくとも１つのスライダー部材と、少なくとも１つの被着対応部材と、を備えたマスクケースであって、前記蓋体の第１の側部と前記本体の第１の側部とが枢着され、蓋が閉じられると、マスクを収容する保管空間が形成され、前記スライドレール部材は、前記本体の第１の側部の反対面となる第２の側部に配設され、前記スライドレール部材は、窪み部及びスロット部を有し、前記第２の側部に沿ってロック方向が形成され、前記窪み部は、前記ロック方向に沿って前記スロット部に突設され、前記窪み部の高さが前記スロット部より低く、前記スロット部は、スロットを有し、前記スライダー部材は、前記スライドレール部材に摺動可能に設けられるとともに、ロック部及び弾性アームを有し、前記弾性アームは、前記ロック部から前記ロック方向と反対方向に延び、前記弾性アームは、前記スロットに挿設され、前記ロック部は、前記スロット部と同じ高さを有する係合溝を有し、前記係合溝の開口位置の上方には、傾斜案内面が設けられ、前記被着対応部材は、前記蓋体の第２の側部に設置されるとともに、前記窪み部に位置が対応し、前記蓋体により前記本体を開いた状態から閉じた状態にすると、前記被着対応部材が前記傾斜案内面に沿って前記スライダー部材に押し当てられ、前記スライダー部材が自由位置から押圧位置に押し入れられて前記弾性アームが圧縮され、前記被着対応部材が前記傾斜案内面を介して前記係合溝の開口に進入し、前記弾性アームが弾性エネルギーを放出すると、前記スライダー部材が弾性回復力により自由位置に復位し、前記蓋体により前記本体が閉じられ、前記スライダー部材が外力により前記ロック方向で自由位置からロック位置まで移動されると、前記ロック位置において前記窪み部及び前記被着対応部材が前記係合溝中に位置することを特徴とする、マスクケースを提供する。
【０００６】
前記被着対応部材が前記傾斜案内面を介して前記係合溝の開口に進入すると、前記被着対応部材の第１の端部の端部が前記ロック部と干渉することが好ましい。
【０００７】
前記被着対応部材の第２の端部には、ストッパ部が設けられ、前記第２の端部の反対側には、第１の端部が設けられていることが好ましい。
【０００８】
弾性部材をさらに備え、前記弾性部材は、前記本体と前記蓋体との間に位置し、前記スライダー部材は、前記ロック位置から前記押圧位置まで移動し、前記弾性部材に蓄積された弾性エネルギーにより前記蓋体が開いた状態となることが好ましい。
【０００９】
前記スロットは、上方に開口することが好ましい。
【００１０】
前記弾性アームは、挿入端及び弾性部を有し、前記弾性部は、前記挿入端及び前記ロック部に接続され、前記挿入端は、前記スロットに挿入されることが好ましい。
【００１１】
前記スライダー部材は、前記スライドレール部材の前記スロット部の上下両端から前記スロットにそれぞれ挿入される互いに対称な２つの弾性アームを有することが好ましい。
【００１２】
前記スライダー部材は、前記ロック方向に対して平行な鏡映対称軸を有することが好ましい。
【００１３】
前記ロック部の外表面は、凸面に成形されることが好ましい。
【００１４】
軸スリーブ部材及び回転軸をさらに備え、前記軸スリーブ部材は、前記本体の前記第１の側部に配設され、前記回転軸は、前記蓋体の前記第１の側部に配設され、前記回転軸は、旋回首部及び頭部を有し、前記頭部は、前記旋回首部に偏心して接続され、前記軸スリーブ部材は、形状が前記頭部に対応し、前記回転軸を前記軸スリーブ部材に挿通させ得る穿孔を有することが好ましい。
【発明の効果】
【００１５】
本発明のマスクケースは、蓋体を押下げて本体に押し当てると、スライダー部材の弾力によりスライダー部材が復位し、蓋体と本体とを一定程度係止し、スライダー部材をロック位置に移動させることを忘れても、スライダー部材によりマスクケースが簡単に開いてしまうことを防ぎ、保管しているマスクケースがパーティクルにより汚染されることを防ぐことができる。そのため従来技術と比べ、本発明のマスクケースは、安心かつ便利に使用することができ、エラーにより発生する製造コストを減らすこともできる。
【図面の簡単な説明】
【００１６】
【図１】本発明の一実施形態に係るマスクケースを示す斜視図である。
【図２】本発明の一実施形態に係るマスクケースを示す分解斜視図である。
【図３】本発明の一実施形態に係るマスクケースのスライドレール部材を示す斜視図である。
【図４】本発明の一実施形態に係るマスクケースのスライドレール部材を示す別の角度からの斜視図である。
【図５】本発明の一実施形態に係るマスクケースのスライダー部材を示す平面図である。
【図６】本発明の一実施形態に係るマスクケースのスライダー部材を示す別の角度からの斜視図である。
【図７】本発明の一実施形態に係るマスクケースのスライダー部材がスライドレール部材に取付けられた状態を示す斜視図である。
【図８】本発明の一実施形態に係るマスクケースのスライダー部材が自由位置にある状態を示す説明図である。
【図９】本発明の一実施形態に係るマスクケースのスライドレール部材が押圧位置にある状態を示す説明図である。
【図１０】本発明の一実施形態に係るマスクケースの被着対応部材を係合溝に挿入する状態を示す説明図である。
【図１１Ａ】本発明の一実施形態に係るマスクケースの被着対応部材の第１の端部とロック部とが干渉する状態を示す説明図である。
【図１１Ｂ】本発明の一実施形態に係るマスクケースの被着対応部材を係合溝に挿入した状態を示す断面図である。
【図１２】本発明の一実施形態に係るマスクケースのスライダー部材がロック位置にある状態を示す説明図である。
【図１３】本発明の一実施形態に係るマスクケースの回転軸を示す斜視図である。
【図１４】本発明の一実施形態に係るマスクケースの軸スリーブ部材及び回転軸の組立を示す説明図である。
【図１５】本発明の一実施形態に係るマスクケースの軸スリーブ部材及び回転軸を示す斜視図である。
【図１６】本発明の他の実施形態に係るマスクケースのスライダー部材を示す斜視図である。
【発明を実施するための形態】
【００１７】
以下、本発明の目的、特徴及び効果をより分かりやすくするために、具体的な実施形態について図に基づいて詳しく説明する。
【００１８】
図１及び図２を参照する。図１及び図２に示すように、本発明の一実施形態に係るマスクケース１００は、少なくとも本体１と、蓋体２と、少なくとも１つのスライドレール部材３と、少なくとも１つのスライダー部材４と、少なくとも１つの被着対応部材５と、から構成されてなる。
【００１９】
本体１は、上方に開口し、マスク（図示せず）を載置するマスク載置領域を内側に有する。
【００２０】
蓋体２は、下方に開口し、本体１を閉じることができる。蓋体２の第１の側部２１と本体１の第１の側部１１とが枢着され、蓋が閉じられると、マスクを収容する保管空間Ｓが形成される。
【００２１】
図２及び図３を参照する。図２及び図３に示すように、スライドレール部材３は、本体１の第１の側部１１と、第１の側部１１の反対面に設けられた第２の側部１２と、を有する。スライドレール部材３は、窪み部３１及びスロット部３２を有し、第２の側部１２に沿ってロック方向ｄが形成される。窪み部３１は、ロック方向ｄに沿ってスロット部３２に突設され、窪み部３１の高さがスロット部３２より低い。スロット部３２は、スロット３２１を有する。
【００２２】
図５〜図７を参照する。図５〜図７に示すように、スライダー部材４は、スライドレール部材３に摺動可能に設けられる。スライダー部材４は、ロック部４１及び弾性アーム４２を有する。弾性アーム４２は、ロック部４１からロック方向ｄと反対方向に延びる。弾性アーム４２は、スロット３２１に挿設される。ロック部４１は、スロット部３２と同じ高さを有する係合溝４１１を有する。係合溝４１１の開口位置の上方には、傾斜案内面４１２が設けられる。
【００２３】
図１、図２及び図８を参照する。図１、図２及び図８に示すように、被着対応部材５は、蓋体２の第２の側部２２に設置されるとともに、窪み部３１に位置が対応する。
【００２４】
以下、マスクケース１００のロック方式について詳しく説明する。
【００２５】
蓋体２及び本体１は、第１の側部１１，２１を軸として旋回し、蓋体２により本体１を開いた状態から閉じた状態にする際、まず、図８に示すように、蓋体２を押下げると、被着対応部材５がスライダー部材４の傾斜案内面４１２にちょうど当接される。図９に示すように、蓋体２が継続して押下げられ、被着対応部材５が傾斜案内面４１２に沿ってスライダー部材４に押し当てられ、スライダー部材４が図８の自由位置から図９の押圧位置（ロック方向と反対方向）に押し入れられると、弾性アーム４２が圧縮される。弾性アーム４２には、この過程で弾性エネルギーが蓄積される。
【００２６】
図１０及び図１１Ａを参照する。図１０及び図１１Ａに示すように、被着対応部材５を継続的に下向きに移動させ、傾斜案内面４１２を介して係合溝４１１（図６を参照する）の開口に進入し、被着対応部材５が係合溝４１１に進入するとスライダー部材４を押圧しなくなるため、弾性アーム４２が弾性エネルギーを直ちに放出し、これによりスライダー部材４が図９の圧縮位置から自由位置に弾性回復力により復位する（図１０を参照する）。図１１Ａに示すように、本実施形態の被着対応部材５の第１の端部の端部５１とロック部４１とは、蓋体２の開く方向で干渉するため、使用者が蓋体２と本体１とを係止することをし忘れても、マスクケース１００は、一定程度の係止機能を依然保持し、マスクケース１００が不用意に開くことを防ぐことができる。
【００２７】
図１２を参照する。図１２に示すように、蓋体２により本体１が閉じられ、スライダー部材４が外力によりロック方向ｄで図１０の自由位置からロック位置まで移動されると、ロック位置において窪み部３１及び被着対応部材５が係合溝４１１中に位置する。図１１Ｂに示すように、被着対応部材５及び窪み部３１の全高は、スロット部３２の高さに略等しい。スライダー部材４の係合溝４１１の高さがスロット部３２と等しいため、被着対応部材５及び窪み部３１は、係合溝４１１を介してスライダー部材４を被着対応部材５及び窪み部３１に至るまで摺動される（即ち、ロック位置）。
【００２８】
本発明のマスクケース１００は、自由位置、押圧位置、ロック位置の間で切換えることができる。蓋体２を押下げて本体１に押し当て、スライダー部材４の弾力によりスライダー部材４が自由位置に復位され、蓋体２と本体１とを一定程度係止し、スライダー部材４をロック位置に移動し忘れても、スライダー部材４によりマスクケース１００が簡単に開いてしまうことを防ぎ、保管しているマスクケースがパーティクルにより汚染されることを防ぐことができる。そのため、本発明はマスクケースを安心かつ便利に使用することができ、エラーにより発生する製造コストを減らすこともできる。
【００２９】
また、図１２に示すように、被着対応部材５の第２の端部には、ストッパ部５２が設けられ、第２の端部の反対側には第１の端部が設けられる。ストッパ部５２は、蓋体２に接続される。そのため、スライダー部材４がストッパ部５２に至るまで摺動されると、ストッパ部５２により止められ、ロック位置で停まる。
【００３０】
また、図１及び図２に示すように、マスクケース１００は、本体１と蓋体２との間に位置する弾性部材６をさらに含む。弾性部材６には、蓋体２を開くと自動的に撥ね上げる弾性エネルギーが蓄積される。詳細には、蓋体２を本体１に対して開いた状態から閉じた状態にすると、弾性部材６が圧縮されて弾性エネルギーが蓄積される。マスクケース１００を開くときは、手動でスライダー部材４のロック位置を解除しなければならない。スライダー部材４が外力を受けて図１２のロック位置から図９の押圧位置まで移動すると、被着対応部材５の第１の端部がロック部４１と干渉せず、このとき弾性部材６に蓄積された弾性エネルギーが放出されて蓋体２を撥ね上げて開き、枢軸を中心に旋回し、蓋体２が本体１に対して旋回して開いた状態となる。また、蓋体２を撥ね上げて開くため、被着対応部材５がスライダー部材４を押圧しなくなり、押圧位置のスライダー部材４が弾性アーム４２から放出される弾性エネルギーにより、図８に示す自由位置に戻る。
【００３１】
図３〜図７に示すように、スロット部３２のスロット３２１は、上方に開口し、弾性アーム４２は、挿入端４２１及び弾性部４２２を有する。弾性部４２２は、挿入端４２１及びロック部４１に接続される。挿入端４２１は、スロット３２１に挿入される。
【００３２】
本実施形態のスロット部３２は、上下に設けられた２つのスロット３２１，３２２を有する。２つのスロット３２１，３２２は、互いに連通した空間でもよいし、互いに連通していない空間でもよい。スライダー部材４は、スロット部３２の上下両端からスロット３２１，３２２に挿入される互いに対称な２つの弾性アーム４２を有する。弾性部４２２は、湾曲状を呈し、挿入端４２１をスロット３２１，３２２に掛止させることができるため、弾性部４２２が弾性エネルギーを放出しても、これによりスライダー部材４がスライドレール部材３から外れることはない。
【００３３】
図１及び図７を参照する。図１及び図７に示すように、本実施形態のスライダー部材４は、ロック部４１からロック方向ｄに垂直に延びた操作部４３を有する。操作部４３は、使用者がスライダー部材４を押圧し、スライダー部材４が押圧位置又はロック位置まで変位する。
【００３４】
図８〜図１０及び図１２を参照する。図８〜図１０及び図１２に示すように、本実施形態のスライドレール部材３は、本体１の第２の側部１２の左右両側にそれぞれ設けられ、個数が２個であり、スライダー部材４は、２つのスライドレール部材３にそれぞれ設けられ、個数が２個でもよいが、本発明はこれだけに限定されず、スライドレール部材３及びスライダー部材４の個数は、必要に応じて１個でもよいし、複数個でもよい。一般に、２つのスライドレール部材３及びスライダー部材４は、直感的に使用できる上、密着性が好ましい。
【００３５】
図８〜図１０及び図１２を参照する。図８〜図１０及び図１２に示すように、本実施形態の２つのスライダー部材４のロック方向ｄは、互いに反対方向（内方）を向いているが、本発明はこれだけに限定されず、２つのロック方向ｄが同一方向（即ち、図面の左方又は右方）を向いてもよいし、互いに反対方向に外方を向いてもよい。
【００３６】
図８〜図１０及び図１２を参照する。図８〜図１０及び図１２に示すように、本実施形態の２つのスライダー部材４は、互いに対称に旋回するとともに、２つのスライダー部材４は、ロック方向ｄに対して平行な鏡映対称軸をそれぞれ有する。言い換えると、２つのスライダー部材４は完全に同じ部材であり、同じ金型を使用して製造することができるため、製造工程及び材料コストを減らすことができる。
【００３７】
図１６を参照する。図１６は、本発明の他の実施形態に係るスライダー部材４ａを示す。スライダー部材４ａは、スライダー部材４と直接交換してもよい。スライダー部材４ａは、スライダー部材４と略同じであり、ロック部４１ａと、互いに対称な２つの弾性アーム４２ａと、を有する。
【００３８】
ロック部４１ａは、係合溝４１１と、円弧状の傾斜案内面４１２ａと、を有する。ロック部４１ａの外表面４１３は、使用者がスライダー部材４ａを押動して押圧位置又はロック位置に変位し易いように凸面に成形されている。
【００３９】
弾性アーム４２ａは、挿入端４２１ａ及び弾性部４２２ａをそれぞれ有する。弾性部４２２ａは、挿入端４２１ａ及びロック部４１ａに接続される。２つの挿入端４２１ａは、スロット部３２の上下両端からスロット３２１，３２２にそれぞれ挿入される。弾性部４２２ａは、湾曲状を呈し、挿入端４２１ａをスロット３２１，３２２に掛止させることができるため、弾性部４２２ａが弾性エネルギーを放出しても、これによりスライダー部材４ａがスライドレール部材３から外れることはない。
【００４０】
図１、図２及び図１３〜図１５を参照する。図１、図２及び図１３〜図１５に示すように、マスクケース１００は、軸スリーブ部材７及び回転軸８をさらに備える。軸スリーブ部材７は、本体１の第１の側部１１に配設される。回転軸８は、蓋体２の第１の側部２１に配設される。図１３を参照する。図１３に示すように、回転軸８は、旋回首部８１及び頭部８２を有する。頭部８２は、旋回首部８１に偏心して接続されている。図１４に示すように、軸スリーブ部材７は、形状が頭部８２に対応し、回転軸８を軸スリーブ部材７に挿通させ得る穿孔７１を有する。図１５に示すように、頭部８２が旋回首部８１に偏心して接続されているため、旋回首部８１が軸スリーブ部材７中で旋回するときに、頭部８２と穿孔７１とが干渉し合って回転軸８が軸スリーブ部材７から外れることを防ぎ、蓋体２と本体１とが特定角度になるまで相対的に旋回させ（図１４に示す）、頭部８２が穿孔７１に正対する角度になったときに、軸スリーブ部材７から回転軸８を外すことができる。このような構成により、軸スリーブ部材７と回転軸８とが特定の角度になったときにだけ蓋体２を本体１から外すことができ、取付けた後は、特定角度になるまで旋回されなければ、蓋体２と本体１とは、枢軸を中心に相対的に旋回しかせず、着脱することはない。
【００４１】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００４２】
１  本体
２  蓋体
３  スライドレール部材
４，４ａ  スライダー部材
５  被着対応部材
６  弾性部材
７  軸スリーブ部材
８  回転軸
１１  第１の側部
１２  第２の側部
２１  第１の側部
２２  第２の側部
３１  窪み部
３２  スロット部
４１，４１ａ  ロック部
４２，４２ａ  弾性アーム
４３  操作部
５１  端部
５２  ストッパ部
７１  穿孔
８１  旋回首部
８２  頭部
１００  マスクケース
３２１  スロット
３２２  スロット
４１１  係合溝
４１２，４１２ａ  傾斜案内面
４１３  外表面
４２１，４２１ａ  挿入端
４２２，４２２ａ  弾性部
ｄ  ロック方向
Ｓ  保管空間
【要約】
【課題】係止可能なマスクケースを提供する。
【解決手段】本発明のマスクケース１００は、上方に開口した本体１と、下方に開口した蓋体２と、少なくとも１つのスライドレール部材３と、少なくとも１つのスライダー部材４と、少なくとも１つの被着対応部材５とを備える。蓋体２の第１の側部２１と本体１の第１の側部１１とが枢着され、蓋が閉じられると、マスクを収容する保管空間が形成される。スライドレール部材３は、本体１の第１の側部１１の反対面となる第２の側部２２に配設される。スライドレール部材３は、窪み部３１及びスロット部３２を有する。スライダー部材４は、スライドレール部材３に摺動可能に設けられるとともに、ロック部４１及び弾性アーム４２を有する。被着対応部材５は、蓋体２の第２の側部２２に設置されるとともに、窪み部３１に位置が対応する。
【選択図】図２【図１】
0006829506.tif 000002
【図２】
0006829506.tif 000003
【図３】
0006829506.tif 000004
【図４】
0006829506.tif 000005
【図５】
0006829506.tif 000006
【図６】
0006829506.tif 000007
【図７】
0006829506.tif 000008
【図８】
0006829506.tif 000009
【図９】
0006829506.tif 000010
【図１０】
0006829506.tif 000011
【図１１Ａ】
0006829506.tif 000012
【図１１Ｂ】
0006829506.tif 000013
【図１２】
0006829506.tif 000014
【図１３】
0006829506.tif 000015
【図１４】
0006829506.tif 000016
【図１５】
0006829506.tif 000017
【図１６】
0006829506.tif 000018